(57)【要約】【課題】ブランクの使用面積を大きく採らずに深さのあるロック式組立箱を組み立てること。【解決手段】方形の底面板１１の相対する二辺に側面板１２、側面板より短い側面折り込み片１３が順次連設され、側面折り込み片の両横縁の先端部分には係止片１４が設けられ、他の相対する二辺には側面板１６が連設され、該側面板の底面板が連設していない方の相対する二辺には舌片１７が連設され、舌片の外方寄りには折り込み舌片１８が、さらにロック舌片１９が係止用切り込み２０に連続する谷折り線を介して、それぞれ連設されたブランクを折り曲げて箱に組み立てた際、側面折り込み片１３の両横縁の先端部分の係止片１４が谷折りされたロック舌片１９の係止用切り込み２０により係止される。【選択図】図１
2004026179.tif 000002
【特許請求の範囲】
【請求項１】
方形の底面板の相対する二辺にそれぞれ折り曲げ線を介して側面板、該側面板より短い側面折り込み片が順次連設され、側面折り込み片の両横縁の先端部分には係止片が設けられ、さらに、他の相対する二辺にはそれぞれ折り曲げ線を介して側面板が連設され、該側面板の底面板が連設していない方の相対する二辺にはそれぞれ折り曲げ線を介して舌片が連設され、該舌片の外方寄りは折り込み舌片が折り曲げ線を介して、さらにロック舌片が係止用切り込みに連続する谷折り線を介して、それぞれ連設されたブランクを折り曲げ線に沿って折り曲げて箱に組立た際に、
前記側面折り込み片の両横縁の先端部分の係止片が谷折りされたロック舌片の係止用切り込みにより係止されることを特徴とするロック式組立箱。
【請求項２】
前記側面板の相対する二辺に設けられた側面板と側面折り込み片の間に上縁板を設けたことを特徴とする請求項１記載のロック式組立箱。
【発明の詳細な説明】
【０００１】
【発明の属する技術分野】
本発明はロック式組立箱に関し、特には、紙の取り都合の良いロック式組立箱に関する。
【０００２】
【従来の技術】
ロック式の組立箱は、糊付けを必要としないため、箱の組立て、解体が容易で各方面にわたり多用されている。
【０００３】
一般的なロック式の組立箱は、図３、図４に示すように、底面板（１１１）の相対する二辺に折り曲げ線を介して側面板（１１２）と側面折り込み板（１１３）がそれぞれ連設され、底面板と側面板の境界の折り曲げ線上には係止孔（１１４）が穿設され、側面折り込み板の先端には係止片（１１５）が設けられ、他の相対する二辺には折り曲げ線を介してそれぞれ側面板（１１６）が連設され、該側面板の底面板の連設していない方の二辺には折り曲げ線を介して舌片（１１７）がそれぞれ連設されたブランクを折り曲げ線に沿って折り曲げ、相対する舌片を包み込むように側面折り込み板を側面板と重ねて係止片を係止孔に係止させ、組み立てたものであった。
【０００４】
このように、側面折り込み板の先端縁に係止片を設け、この係止片を底面板と側面板の境界に穿設された係止孔に嵌め込むように係止しているため、特に図示したような深さのある箱の場合には、ブランクの使用面積が大きくなり紙の取り都合が良くないという問題がある。
【０００５】
【発明が解決しようとする課題】
本発明は、深さのあるロック式組立箱の時に生じる以上のような問題点を解決するためになされたもので、ブランクの使用面積を大きく採らずに深さのあるロック式組立箱を組み立てることを可能にした。
【０００６】
【課題を解決するための手段】
本発明の請求項１の発明は、方形の底面板の相対する二辺にそれぞれ折り曲げ線を介して側面板、該側面板より短い側面折り込み片が順次連設され、側面折り込み片の両横縁の先端部分には係止片が設けられ、さらに、他の相対する二辺にはそれぞれ折り曲げ線を介して側面板が連設され、該側面板の底面板が連設していない方の相対する二辺にはそれぞれ折り曲げ線を介して舌片が連設され、該舌片の外方寄りは折り込み舌片が折り曲げ線を介して、さらにロック舌片が係止用切り込みに連続する谷折り線を介して、それぞれ連設されたブランクを折り曲げ線に沿って折り曲げて箱に組立た際に、前記側面折り込み片の両横縁の先端部分の係止片が谷折りされたロック舌片の係止用切り込みにより係止されることを特徴とするロック式組立箱である。
【０００７】
このように請求項１記載の発明によれば、方形の底面板の相対する二辺にそれぞれ折り曲げ線を介して側面板、該側面板より短い側面折り込み片が順次連設され、側面折り込み片の両横縁の先端部分には係止片が設けられ、さらに、他の相対する二辺にはそれぞれ折り曲げ線を介して側面板が連設され、該側面板の底面板が連設していない方の相対する二辺にはそれぞれ折り曲げ線を介して舌片が連設され、該舌片の外方寄りは折り込み舌片が折り曲げ線を介して、さらにロック舌片が係止用切り込みに連続する谷折り線を介して、それぞれ連設されたブランクを使用しているので、紙の取り都合が良い。
【０００８】
また、側面折り込み片の両横縁の先端部分の係止片を谷折りされたロック舌片の係止用切り込みに差し込むだけでロックされるので、容易に組立や解体が可能である。
【０００９】
また、請求項２の発明は、請求項１の発明において、前記側面板の相対する二辺に設けられた側面板と側面折り込み片の間に上縁板を設けたことを特徴とするロック式組立箱である。
【００１０】
このように請求項２記載の発明によれば、側面板の相対する二辺に設けられた側面板と側面折り込み片の間に上縁板を設けることにより、紙厚のある段ボールシートを用いてブランクを作製した場合にも形の良いロック式組立箱を作製することができる。
【００１１】
【発明の実施の形態】
本発明のロック式紙箱を一実施形態に基づいて以下に詳細に説明する。
図１は、本発明のロック式紙箱の一実施例を示す斜視説明図であり、図２は、本発明のロック式紙箱のブランクの一実施例を示す展開説明図である。つぎに図１、図２を用いて詳細に説明する。
【００１２】
まず、表面にオフセット印刷した厚さが２ｍｍのＥ段ボールシートを用いて、打ち抜き機で紙箱のブランクを作製した。
【００１３】
このブランクには、方形の底面板（１１）の相対する二辺にそれぞれ折り曲げ線を介して側面板（１２）、この側面板より短い側面折り込み片（１３）が順次連設されている。
そして、側面折り込み片（１３）の両横縁の先端部分にはそれそれ係止片（１４）が設けられている。
側面折り込み片（１３）の幅（深さ）は側面板（１２）の幅（深さ）に関係なく、側面板（１２）よりずっと狭い幅の数センチ程度あれば良い。
【００１４】
底面板の他の相対する二辺にはそれぞれ折り曲げ線を介して側面板（１６）が連設されており、この側面板（１６）の底面板（１１）が連設していない方の相対する二辺にはそれぞれ折り曲げ線を介して舌片（１７）が連設されている。
【００１５】
また、舌片（１７）の外方寄りは折り曲げ線を介して折り込み舌片（１８）が、さらに係止用切り込み（２０）に連続する谷折り線を介してロック舌片（１９）が、それぞれ連設されている。
なお、係止用切り込み（２０）は折り込み舌片（１８）やロック舌片（１９）の内方に設けられ、係止用切り込み（２０）に連続する折り曲げ線は折り込み舌片（１８）やロック舌片（１９）の外方に設けられている。
【００１６】
ここで、舌片（１７）と折り込み舌片（１８）の長さは同じに設定してある。また、折り込み舌片（１８）の幅（深さ）は、側面折り込み片（１３）の幅（深さ）と同じか少し短めに設定してある。
このことにより、側面板の相対する二辺の上縁は三重構造の強固なものになり、また、折り込み舌片が側面折り込み片により隠れるので見栄えが良くなる。
【００１７】
なお、底面板（１１）の相対する二辺に設けられた側面板（１２）と側面折り込み片（１３）の間に上縁板（１５）を設けても良い。
上縁板（１５）を設けることにより、紙厚のある段ボールシートを用いてブランクを作製した場合にも形の良いロック式組立箱を作製することができる。
【００１８】
このようにして作製したブランクを折り曲げ線や谷折り線に沿って折り曲げて箱に組立てる。
側面折り込み片（１３）の両横縁の先端部分に設けた係止片（１４）が谷折りされたロック舌片（１９）の係止用切り込み（２０）により係止されて四方がロックされた本発明のロック式組立箱が作製できる。
【００１９】
ロックを解くことにより組立箱を簡単に解体することができる。
【００２０】
【発明の効果】
上記のように、本発明のロック式紙箱は以下に示す如き効果がある。
即ち、側面板の折り返しである側面折り込み片の幅（深さ）を短く設定しているので、紙の取り都合が良い。
上部に蓋を設けても良い。
【図面の簡単な説明】
【図１】本発明のロック式組立箱の一実施例を示す、斜視説明図である。
【図２】本発明のロック式組立箱のブランクの一実施例を示す、展開説明図である。
【図３】従来のロック式組立箱の一例を示す、斜視説明図である。
【図４】従来のロック式組立箱のブランクの一例を示す、展開説明図である。
【符号の説明】
１‥‥ロック組立箱
１０‥‥ブランク
１１‥‥底面板
１２‥‥側面板
１３‥‥側面折り込み片
１４‥‥係止片
１５‥‥上縁板
１６‥‥側面板
１７‥‥舌片
１８‥‥折り込み舌片
１９‥‥ロック舌片
２０‥‥係止用切り込み
１１１‥‥底面板
１１２‥‥側面板
１１３‥‥側面折り込み板
１１４‥‥係止孔
１１５‥‥係止片
１１６‥‥側面板
１１７‥‥舌片
【図１】
2004026179.tif 000003
【図２】
2004026179.tif 000004
【図３】
2004026179.tif 000005
【図４】
2004026179.tif 000006